(57)【特許請求の範囲】
【請求項１】
天面部と底面部と一対の側面部とが連接して横筒状の箱胴部が形成され、前記箱胴部の両端部に、前記側面部に連接された内フラップとこの内フラップに折り重ねて貼り合わせた前記天面部と底面部とに連接の外フラップとで閉じた閉鎖側面部が設けられている包装容器であって、
前記一方の閉鎖側面部における天面部側に連接した前記外フラップには、二本の縦の切り取りミシン目を入れて引き起こし可能にした第一の捲り部が設けられ、
前記天面部には、閉鎖側面部の幅方向に沿う折り罫と、前記一方の閉鎖側面部側の折り部における前記縦の切り取りミシン目の端部から側面部側の折り部それぞれに達する斜めの第一の切り取りミシン目と、側面部側の折り部に沿って前記第一の切り取りミシン目と前記折り罫とに連続する第二の切り取りミシン目と、前記第二の切り取りミシン目における他方の閉鎖側面部側の端部から天面部中心線側に傾斜した第三の切り取りミシン目と、前記第三の切り取りミシン目から側面側の折り部と平行にして他方の閉鎖側面部側の折り部に達して天面部中心線側に寄った位置にある第四の切り取りミシン目とが入れられて、
前記一方の閉鎖側面部側の折り部と前記第一から第四の切り取りミシン目と他方の閉鎖側面部側の折り部とで囲まれてなる第二の捲り部が、天面部中に区分形成され、この第二の捲り部は、前記第一の捲り部の引き起こしに伴なって天面部から引き起こされ、第二の捲り部が前記折り罫位置で折曲した第二の捲り部が、他方の閉鎖側面部側の第四の切り取りミシン目の位置での破断縁との係止により起立可能となる構成とされ、
天面部における側面部側の折り部は、切り取りミシン目を非存在にした折り部補強部分とこの間での側面部側の折り部に第二の切り取りミシン目が位置してなる切断容易部分とが交互に配置されてなるものであり、
天面部における前記第四の切り取りミシン目の延長線上には、切り取りミシン目を非存在とした天面部補強部が位置していることを特徴とする包装容器。
【請求項２】
上記折り罫は、上記一方の閉鎖側面部と他方の閉鎖側面部との対向方向での中央位置から前記他方の閉鎖側面部側に寄った位置にある請求項１に記載の包装容器。
【請求項３】
上記天面部には上記折り罫での第二の捲り部の折りによって起きる立ち上がり部が設けられている請求項１または２に記載の包装容器。
【発明の詳細な説明】
【技術分野】
【０００１】
本発明は包装容器に関するものであり、特に段ボールからなり、ブランク形態での底面部に複数の収納物を乗せ置き、収納部を包むように箱胴部を巻き織して横筒状にし、その後に前記箱胴部の端部にあるフラップを折り倒して収納物を包装するラップラウンド方式に利用される包装容器に関するものである。
【背景技術】
【０００２】
従来から缶ジュースやペットボトル飲料などの商品を包装する容器として段ボール製の包装容器が利用されている。そして、このような商品の包装形態としては、配列状態にした包装容器をブランクでの底面部の位置に乗せ置いてからブランクを縦方向に巻き折りして複数個の商品を包み込み、箱胴部が横の筒状となった状態で両端部にあるフラップを折り畳んで閉鎖するラップラウンド方式のものが採用されている。
ところで、スーパーなどの小売り店舗で行なわれている陳列販売方法の一つとして、包装容器から商品を取り出して棚などに並べ直すことなくその包装容器を天面部を切り開いて、顧客が商品を包装容器から直接取り出すことができるようにした陳列の仕方がある。
そして、このような陳列販売にも対応できるように、包装容器自体に広告機能を持たせるようにした工夫が提案されており、例えば、特許文献１に示されているように、包装容器の天面部の三方の折り部に切り取りミシン目を入れて、店舗側で前記切り取りミシン目を切断して、切り起こした天面部を折り曲げることで起立した広告板が得られるようにしたものがある。
【特許文献１】実開昭６３−０２８６２７号公報（第７図、第８図）
【発明の開示】
【発明が解決しようとする課題】
【０００３】
しかしながら、上述した天面部の三方の折り部に切り取りミシン目を穿設している段ボール製の包装容器では、折り部の長手方向全体にミシン目が入れられているためにその折り部自体の強度が低下し、商品を収納した包装容器を流通段階で床上に落とすなどした場合に、折り部の部分が大きく切断してしまう可能性が非常に高く、缶ジュースやペットボトル飲料を収納するためのラップラウンド用の包装容器としては適さないという問題があった。
そこで、ラップラウンドタイプの包装容器の一部分を利用して販売促進用の広告板を包装容器に一体となった状態で形成する手法の有用性を活かしながら、包装容器の折り部の強度を確保することを課題とし、一部分が広告板として利用できる有用な段ボール製の包装容器を提供することを目的とする。
【課題を解決するための手段】
【０００４】
本発明は上記課題を考慮してなされたもので、天面部と底面部と一対の側面部とが連接して横筒状の箱胴部が形成され、前記箱胴部の両端部に、前記側面部に連接された内フラップとこの内フラップに折り重ねて貼り合わせた前記天面部と底面部とに連接の外フラップとで閉じた閉鎖側面部が設けられている包装容器であって、前記一方の閉鎖側面部における天面部側に連接した前記外フラップには、二本の縦の切り取りミシン目を入れて引き起こし可能にした第一の捲り部が設けられ、前記天面部には、閉鎖側面部の幅方向に沿う折り罫と、前記一方の閉鎖側面部側の折り部における前記縦の切り取りミシン目の端部から側面部側の折り部それぞれに達する斜めの第一の切り取りミシン目と、側面部側の折り部に沿って前記第一の切り取りミシン目と前記折り罫とに連続する第二の切り取りミシン目と、前記第二の切り取りミシン目における他方の閉鎖側面部側の端部から天面部中心線側に傾斜した第三の切り取りミシン目と、前記第三の切り取りミシン目から側面側の折り部と平行にして他方の閉鎖側面部側の折り部に達して天面部中心線側に寄った位置にある第四の切り取りミシン目とが入れられて、前記一方の閉鎖側面部側の折り部と前記第一から第四の切り取りミシン目と他方の閉鎖側面部側の折り部とで囲まれてなる第二の捲り部が、天面部中に区分形成され、この第二の捲り部は、前記第一の捲り部の引き起こしに伴なって天面部から引き起こされ、第二の捲り部が前記折り罫位置で折曲した第二の捲り部が、他方の閉鎖側面部側の第四の切り取りミシン目の位置での破断縁との係止により起立可能となる構成とされ、天面部における側面部側の折り部は、切り取りミシン目を非存在にした折り部補強部分とこの間での側面部側の折り部に第二の切り取りミシン目が位置してなる切断容易部分とが交互に配置されてなるものであり、天面部における前記第四の切り取りミシン目の延長線上には、切り取りミシン目を非存在とした天面部補強部が位置していることを特徴とする包装容器を提供して、上記課題を解消するものである。
【０００５】
そして本発明において、上記折り罫は、上記一方の閉鎖側面部と他方の閉鎖側面部との対向方向での中央位置から前記他方の閉鎖側面部側に寄った位置にあるものとすることが良好である。
また、本発明において、上記天面部には上記折り罫での第二の捲り部の折りによって起きる立ち上がり部が設けられているものとすることが可能である。
【発明の効果】
【０００６】
請求項１の発明によれば、天面部における側面部側の折り部は、切り取りミシン目を非存在にした折り部補強部分とこの間での側面部側の折り部に第二の切り取りミシン目が位置してなる切断容易部分とが交互に配置されてなるものとしているので、その天面部の側面部側の折り部の強度低下を防止し、商品収納済みの包装容器を床上に落としてもその折り部の破断を極力防止できる。
また、天面部における第四の切り取りミシン目の延長線上に、切り取りミシン目を非存在とした天面部補強部が位置しているので、胴部回りを折り機で折り曲げても、第四の切り取りミシン目やその延長線上に、包材の反発力による応力が集中せず、製函時に天面部が折れるという問題を未然に防止できる。
【０００７】
請求項２の発明によれば、第二の捲り部を引き起こして折り罫位置で折曲した場合での箱胴部に折り倒される部分の長さが長くなり、第四の切り取りミシン目での破断縁に係止する度合いが強くなり、よって二つ折りされた第二の捲り部の起立状態がより安定するようになる。
請求項３の発明によれば、第二の捲り部を折曲することで立ち上がり部が起立することとなり、折曲した第二の捲り部により形成される広告板の形状が異形になってアイキャッチ効果が頗る向上するようになる。
【発明を実施するための最良の形態】
【０００８】
つぎに本発明を図示の実施の形態に基づいて詳細に説明する。
図中１は包装容器で、該包装容器１は段ボール製のものであり、図２に示すように、ブランクの状態で乗せ置かれた収容物を包み込むことができるように天面部２と底面部３と一対の側面部４とが連接していて、巻き折り状に包み込んで横筒状の箱胴部５が形成されている。さらに、前記箱胴部５の両端部では、前記側面部４に連接された内フラップ６が連接されているとともに、天面部２と底面部３にも外フラップ７が連接されており、前記内フラップ６が折り込まれ、この内フラップ６に前記外フラップ７を折り重ねて内フラップ６に貼り合わせて閉じた閉鎖側面部８を形成している。
【０００９】
そして、本包装容器１の天面部２を利用して必要時に起立した広告板が形成されるようにした工夫を有している。図示するように一方の閉鎖側面部８における天面部２に折り部９を介して連接した外フラップ７中に第一の捲り部１０が区画形成されているとともに、この第一の捲り部１０が連続する第二の捲り部１１が天面部２の大部分を利用して区画形成されている。
（第一の捲り部）
まず、一方の閉鎖側面部８において、天面部２に連接の外フラップ７に二本の縦の切り取りミシン目１２を入れて、この間を引き起こし可能な上記第一の捲り部１０としており、縦の切り取りミシン目１２から側方の領域は、重ね合わせ下位の内フラップ６に接着固定されている。
【００１０】
（第二の捲り部）
まず、天面部２における後述の切り取りミシン目によって区画された第二の捲り部１１には、一方の閉鎖側面部８と他方の閉鎖側面部８との対向方向（図示の実施の形態において天面の長辺方向）での中央位置から他方の閉鎖側面部８側に寄った位置にして閉鎖側面部の幅方向に沿う折り罫１３と、天面部２の中央に位置して前記他方の閉鎖側面部８側に凸として端部それぞれが前記折り罫１３に連続している円弧状のカット１４が入れられていて、前記カット１４により切り込み形成された立ち上がり部１４ａが、第二の捲り部１１での折り罫１３から一方の閉鎖側面部側となる領域に連続した状態で設けられている。
なお、実施の例ではカット１４を円弧状のものとしたが、本発明においてカット１４の形状が実施の形態に限定されるものではない。
つぎに、上記第一の捲り部１０がある外フラップ７側の折り部９に位置した縦の切り取りミシン目１２の端部から側面部４側の折り部９それぞれに達する斜めの第一の切り取りミシン目１５が入れられている。そして、この第一の切り取りミシン目１５に連続する第二の切り取りミシン目１６があって、側面部４側の折り部９に沿って前記第一の切り取りミシン目１５と上記折り罫１３の端部とに前記第二の切り取りミシン目１６が連続して入れられている。
なお、本発明において、天面部とは後述の糊代を含めたものである。そして、本実施の形態において、糊代が位置する側の部分にはその糊代基端の折り部９の位置に沿って上記第二の切り取りミシン目１６が入れられているものである。
【００１１】
また、上記第二の切り取りミシン目１６における他方の閉鎖側面部８側の端部から天面部中心線側に傾斜した第三の切り取りミシン目１７が天面部２に入れられている。また、この第三の切り取りミシン目１７における他方の閉鎖側面部８側の端部から側面部２側の折り部９と平行となり、他方の閉鎖側面部８側の折り部９に達して天面部中心線側に寄った位置とした第四の切り取りミシン目１８が入れられている。
【００１２】
ブランクで示すように、そして上述したように天面部２中において、第二の捲り部１１が一方の閉鎖側面部８側の折り部９、第一から第四の切り取りミシン目１５、１６、１７、１８、他方の閉鎖側面部８側の折り部９に囲まれてなり、縦の切り取りミシン目１２を切断して上記第一の捲り部１０の引き起こして、さらにこの第一の捲り部１０を引き上げ続けて第一から第四の切り取りミシン目１１５、１６、１７、１８を順に切断することで、第二の捲り部１１が天面部２から引き起こすことができる。
なお、箱胴部５での胴貼りをするために糊代１９が一方の側面部４を構成する面板の上端に連接され、天面部２を構成する面板とこの糊代１９とが接着剤を介して一体となっており、この実施の形態においては前記天面部２はこの糊代１９も含むものとしている。
そのため、糊代１９に上記第一、第三の切り取りミシン目１５、１７が同様にして穿設されて重なる位置にある。そして、第二の切り取りミシン目１６が折り部９に入れられている。よって、第二の捲り部１１を引きこすことで第一、第二、第三の切り取りミシン目１５、１６、１７が切断される。
さらに、この実施の形態では上記糊代が天面側に位置するものを示したが、糊代による貼り合わせが他の面部の位置で行なわれるものであってもよい。
【００１３】
上述したように第二の捲り部１１に折り罫１３が設けられていることから、その折り罫１３の位置で第二の捲り部１１を折曲することができ、容器内方側に第二の捲り部１１を折曲して第一の捲り部１０を他方の閉鎖側面部８の内方に沿うように差し入れ、さらに折曲した第二の捲り部１１における第一の切り取りミシン目の位置で形成された切断縁２０を、図示のように他方の閉鎖側面部８側において上記第四の切り取りミシン目１８の位置で形成された破断縁２１と係止させることができるように設けられている。
そして、第二の捲り部１１が上述した切断縁２１に係止することで、二つ折りにして、かつ上記円弧状のカットにより切り起こされた立ち上がり部１４ａを有した形態となり、安定的に起立した広告板としての機能を果たすことができるようにしている。
【００１４】
引き起こしできる上記第二の捲り部１１を天面部２に配置した本包装容器１では、図１に示すように、天面部２の側面部４側の折り部９は、切り取りミシン目を非存在にした折り部補強部分Ａと、この間での側面部４側の折り部９に第二の切り取りミシン目１６が位置してなる切断容易部分Ｂとが交互に配置されてなるものとしており、製函後での形態で天面部２の側面部４側の折り部９の強度が低下しないようにしている。
さらに、天面部２における上記第四の切り取りミシン目１８の延長線上には、切り取りミシン目を非存在とすることによって包材の強度低下を防止した天面部補強部Ｃが位置しており、製函時の天面部２の曲げ折りに際して包材の反発による応力が第四の切り取りミシン目１８に集中し難くして、天面部の折れによる製函不良を防止している。そして、第四の切り取りミシン目１８自体を側面部４側の折り部９の長手方向に沿う直線としていて、第二の捲り部１１の引き起こしが他方の閉鎖側面部８の上縁位置まで一気に行なえるようにして、捲り上げ操作が容易になるようにしている。
【図面の簡単な説明】
【００１５】
【図１】本発明に係る包装容器の一例を示す説明図である。
【図２】一例をブランクにて展開状態を示す説明図である。
【図３】第二の捲り部を曲げ起こした状態を示す説明図である。
【符号の説明】
【００１６】
１…包装容器
２…天面部
３…底面部
４…側面部
５…箱胴部
８…閉鎖側面部
９…折り部
１０…第一の捲り部
１１…第二の捲り部
１２…縦の切り取りミシン目
１３…折り罫
１５…第一の切り取りミシン目
１６…第二の切り取りミシン目
１７…第三の切り取りミシン目
１８…第四の切り取りミシン目
２０…第一の切り取りミシン目の位置の切断縁
２１…第四の切り取りミシン目の位置の切断縁
Ａ…折り部補強部分
Ｂ…切断容易部分
Ｃ…天面部補強部
【図１】
0005098710.tif 000002
【図２】
0005098710.tif 000003
【図３】
0005098710.tif 000004